(57)【要約】      （修正有）【課題】排気ガスの処理効率が高く、構造が簡単な排気ガス統合処理装置を提供する。【解決手段】塔装置本体１、粉塵フィルタ層、スプレーフィルタ層、光分解フィルタ層、加熱管及び保温層を備え、塔装置本体は、塔装置本体の下端に位置する給気口１１及び排水出口１３、並びに、塔装置本体の頂端に位置する排気口１２を含む。塔装置本体内には、下から順に、粉塵フィルタ層、スプレーフィルタ層及び光分解フィルタ層が配置されている。粉塵フィルタ層は、第１フィルタ層２１及び第２フィルタ層２２を含む。スプレーフィルタ層は、ノズル３１及びノズルを固定するための接続板３２を含み、接続板は、透かし模様を有し、塔装置本体の内壁に噛み合っている。光分解フィルタ層は、曲線状で塔装置本体の内壁に均一に配置された１本の紫外線ランプ４である。加熱管は、塔装置本体の外側に配置され、保温層は、加熱管の外側に位置する。【選択図】図１
0003221645.tif 000002
【実用新案登録請求の範囲】
【請求項１】
塔装置本体と、粉塵フィルタ層と、スプレーフィルタ層と、光分解フィルタ層と、前記塔装置本体の外側に配置された加熱管と、前記加熱管の外側に位置する保温層とを備えた排気ガス統合処理装置であって、
前記塔装置本体は、前記塔装置本体の下端に位置する給気口及び排水出口、並びに、前記塔装置本体の頂端に位置する排気口を含み、
前記塔装置本体内には、下から順に、前記粉塵フィルタ層、前記スプレーフィルタ層及び前記光分解フィルタ層が配置されており、
前記粉塵フィルタ層は、不織布フィルタ層である第１フィルタ層、及び、活性炭繊維フィルタ層である第２フィルタ層を含み、
前記スプレーフィルタ層は、ノズル及び前記ノズルを固定するための接続板を含み、前記接続板は、前記塔装置本体の内壁に噛み合った透かし模様を有しており、
前記光分解フィルタ層は、曲線状で前記塔装置本体の内壁に均一に配置された１本の紫外線ランプであることを特徴とする排気ガス統合処理装置。
【請求項２】
前記紫外線ランプの背面に位置し、且つ前記塔装置本体の内壁と接続された弧状反射板をさらに備えていることを特徴とする請求項１に記載の排気ガス統合処理装置。
【請求項３】
前記接続板が、前記塔装置本体の内壁に取外し可能に係合していることを特徴とする請求項１に記載の排気ガス統合処理装置。
【請求項４】
前記粉塵フィルタ層を支持するためであり、前記塔装置本体の内壁に取外し可能に係合した透かし模様を有する支持板をさらに備えていることを特徴とする請求項１に記載の排気ガス統合処理装置。
【請求項５】
前記接続板と前記支持板との距離は、３０〜１００ｃｍであることを特徴とする請求項４に記載の排気ガス統合処理装置。
【請求項６】
前記加熱管は、曲線状で前記塔装置本体の外側に巻き付いていることを特徴とする請求項１に記載の排気ガス統合処理装置。
【請求項７】
前記保温層はフォーム層であることを特徴とする請求項１に記載の排気ガス統合処理装置。
【考案の詳細な説明】
【技術分野】
【０００１】
本考案は、排気ガス処理分野に関し、特に排気ガス統合処理装置に関する。
【背景技術】
【０００２】
近年、紫外線による排気ガスの処理が話題となっている。原理として、ＵＶ高エネルギー紫外線の光分解装置を介して照射して有害ガスの分子結合を熱分解し、小分子の断片に分解した後、ＣＯ2やＨ2Ｏ等を生成することである。通常、処理すべき排気ガスには一定量の粉塵が含まれている。粉塵が排気ガス内に混入している場合に光分解処理を行うと、光分解の効率が大幅に低下する。また、粉塵含有ガスが紫外線処理装置を通過する際に、粉塵が紫外線処理装置の表面に付着することにより、光分解の効率がさらに低下するおそれがある。
【０００３】
また、既存の排気ガス統合処理装置において、粉塵処理と紫外線処理とが別々に行われ、粉塵処理後の排気ガスがさらに配管を介して紫外線処理装置に入るため、排気ガス統合処理装置全体は、構造が複雑で大容量になり、占有面積が大きく、スペース及び生産コストの節約に寄与しない。
【０００４】
さらに、既存の排気ガス統合処理装置において、粉塵がフィルタ層を介して濾過された後、フィルタ層に多量の粉塵が付着するため、フィルタ層の濾過効果が経時的に低下し、フィルタ層を定期的に交換する必要があり、濾過の効率に影響が生じ、コストが増加する。
従って、新しい技術的解決手段を提供する必要がある。
【考案の概要】
【考案が解決しようとする課題】
【０００５】
本考案は、従来技術における問題に対して、排気ガスの処理効率が高く、効果が優れ、構造が簡単な排気ガス統合処理装置を提供する。
【課題を解決するための手段】
【０００６】
上記の技術的課題を解決すべく、本考案は、塔装置本体、粉塵フィルタ層、スプレーフィルタ層、光分解フィルタ層、加熱管及び保温層を備えた排気ガス統合処理装置を提供する。
【０００７】
前記塔装置本体は、前記塔装置本体の下端に位置する給気口及び排水出口、並びに、前記塔装置本体の頂端に位置する排気口を含む。
【０００８】
前記塔装置本体内には、下から順に、前記粉塵フィルタ層、前記スプレーフィルタ層及び前記光分解フィルタ層が配置されている。
【０００９】
前記粉塵フィルタ層は、不織布フィルタ層である第１フィルタ層、及び、活性炭繊維フィルタ層である第２フィルタ層を含む。
【００１０】
前記スプレーフィルタ層は、ノズル及び前記ノズルを固定するための接続板を含む。前記接続板は、前記塔装置本体の内壁に噛み合った透かし模様を有している。
【００１１】
前記光分解フィルタ層は、曲線状で前記塔装置本体の内壁に均一に配置された１本の紫外線ランプである。
【００１２】
前記加熱管は、前記塔装置本体の外側に配置されている。
前記保温層は、前記加熱管の外側に位置する。
【００１３】
さらに、前記処理装置は、前記紫外線ランプの背面に位置し、且つ前記塔装置本体の内壁と接続された弧状反射板をさらに備えている。
【００１４】
さらに、前記接続板は、前記塔装置本体の内壁に取外し可能に係合している。
【００１５】
さらに、前記処理装置は、前記粉塵フィルタ層を支持するためであり、前記塔装置本体の内壁に取外し可能に係合した透かし模様を有する支持板をさらに備えている。
【００１６】
さらに、前記接続板と前記支持板との距離は、３０〜１００ｃｍである。
【００１７】
さらに、前記加熱管は、曲線状で前記塔装置本体の外側に巻き付いている。
【００１８】
さらに、前記保温層はフォーム層である。
【考案の効果】
【００１９】
本考案に係る排気ガス統合処理装置は、以下の有益な効果を有する。
（１）本考案に係る排気ガス統合処理装置は、粉塵処理、スプレー処理及び紫外線処理を統合することにより、排気ガス統合処理装置の構造が簡素化され、スペースが省かれ、生産コストが削減される。
【００２０】
（２）本考案に係る排気ガス統合処理装置において、排気ガス統合処理装置内にスプレー装置を追加することにより、水中に溶存する一部の排気ガスを処理できるだけでなく、粉塵を濾過するフィルタ層を洗浄することもでき、このため、フィルタ層の繰り返し使用が維持され、濾過効率及び濾過効果が向上する。
【００２１】
（３）本考案に係る排気ガス統合処理装置は、構造が簡単で、加工が容易で、幅広く使用され得る。
【図面の簡単な説明】
【００２２】
本考案に係る技術的解決手段をより明確に説明するために、以下、実施形態又は従来技術の説明に用いられる図面について簡単に説明する。以下の説明における図面は、本考案に係る一部の実施形態だけであり、当業者は、創造的な業務を行わない前提の下で、これらの図面に基づいてほかの図面を得ることができる。
【００２３】
【図１】本考案に係る排気ガス統合処理装置の構成概略図である。
【考案を実施するための形態】
【００２４】
本考案に係る実施形態の図面を参照しつつ、本考案の実施形態における技術的解決手段について、明確且つ完全に説明する。説明する実施形態は、本考案の実施形態の一部であり、全部ではない。本考案の実施形態に基づいて、当業者が創造的な業務を行わない前提の下で得られたすべてのほかの実施形態は、本考案の保護範囲内に属する。
【００２５】
図１を参照されたい。図１は、本考案に係る排気ガス統合処理装置の構成概略図である。図１に示すように、本考案に係る排気ガス統合処理装置は、塔装置本体１、粉塵フィルタ層、スプレーフィルタ層及び光分解フィルタ層を備えている。
【００２６】
塔装置本体１は、塔装置本体１の下端に位置する給気口１１及び塔装置本体１の頂端に位置する排気口１２を含む。
【００２７】
塔装置本体１内には、下から順に、粉塵フィルタ層、スプレーフィルタ層及び光分解フィルタ層が配置されている。
【００２８】
粉塵フィルタ層は、不織布フィルタ層である第１フィルタ層２１、及び、活性炭繊維フィルタ層である第２フィルタ層２２を含む。
【００２９】
スプレーフィルタ層は、ノズル３１及びノズル３１を固定するための接続板３２を含む。接続板３２は、塔装置本体１の内壁に噛み合った透かし模様を有している。
【００３０】
光分解フィルタ層は、曲線状で塔装置本体１の内壁に均一に配置された１本の紫外線ランプ４である。
【００３１】
加熱管は、塔装置本体１の外側に配置されている。本考案において、排気ガス処理の完了後、加熱管による塔装置本体への加熱が開始することで、塔装置本体内の乾燥が維持され、スプレー洗浄後の粉塵フィルタ層も乾燥状態となり、これにより、粉塵フィルタ層の繰り返し使用が維持され、粉塵フィルタ層の使用寿命が向上し、濾過効率が改善される。
【００３２】
前記保温層は、前記加熱管の外側に位置する。塔装置本体１内の温度は、当該保温層によって長く保たれる。
【００３３】
接続板３２は、塔装置本体１の内壁に取外し可能に係合している。
【００３４】
処理装置は、粉塵フィルタ層を支持するためであり、塔装置本体１の内壁に取外し可能に係合した透かし模様を有する支持板５をさらに備えている。
【００３５】
接続板３２と支持板５との距離は、３０〜１００ｃｍである。
【００３６】
紫外線ランプ４は、曲線状で塔装置本体１の内壁に均一に配置されている１本のものである。
【００３７】
塔装置本体１の下端には、排水出口１３がさらに設けられている。噴霧された不純物は、排水出口１３を介して塔装置本体１の外部へ排出され得る。
【００３８】
処理装置は、紫外線ランプ４の背面に位置し、且つ塔装置本体１の内壁と接続された弧状反射板をさらに備えている。弧状反射板は、紫外線ランプ４によって放出された紫外線を反射して光の利用率を効果的に改善するために用いられる。
【００３９】
本考案に係る排気ガス統合処理装置は、以下の有益な効果を有する。
（１）本考案に係る排気ガス統合処理装置は、粉塵処理、スプレー処理及び紫外線処理を統合することにより、排気ガス統合処理装置の構造が簡素化され、スペースが省かれ、生産コストが削減される。
【００４０】
（２）本考案に係る排気ガス統合処理装置において、排気ガス統合処理装置内にスプレー装置を追加することにより、水中に溶存する一部の排気ガスを処理できるだけでなく、粉塵を濾過するフィルタ層を洗浄することもでき、このため、粉塵フィルタ層の繰り返し使用が維持され、濾過効率及び濾過効果が向上する。
【００４１】
（３）本考案に係る排気ガス統合処理装置は、構造が簡単で、加工が容易で、幅広く使用され得る。
【００４２】
上記の説明は、本考案に係る特定の実施形態を十分に開示したものである。当業者が本考案に係る特定の実施形態に対するいかなる改変は、本考案による保護範囲内に含まれるべきであり、対応するように、本考案に係る実用新案登録請求の範囲は、前述した特定の実施形態に限定されないことについて、理解されたい。
【図１】
0003221645.tif 000003